(57)【要約】【課題】連続チューブを所定の長さに切断して熱交換器用のチューブを製造する時に、チューブの断面形状が歪むこと等を防止する。【解決手段】帯板状の材料８に上部切断カッター１と下部切断カッター２とによって予め切断用の溝を形成する。その際に溝に残る肉厚は一様でなく、次のチューブ成形工程２０において応力集中が起こる帯板状の材料８の両側縁部や、強く屈曲される部分等は厚肉部とされると共に、チューブの腹面となる部分のように応力集中が起こり難い部分とか、最終的な切り離し工程において変形しやすい部分に薄肉部を形成する。チューブ切り離し用のローラ群７は４個以上のローラが２群に分けられて千鳥形配置とされたもので、２群のローラの間隔は連続チューブ９の短径よりも僅かに小さく設定されている。従って、連続チューブ９は正逆方向に曲げ力を受けて切断用の溝において容易に且つ円滑に破断する。【選択図】      図１
2004308965.tif 000002
【特許請求の範囲】
【請求項１】
帯板状の材料に所定の間隔をおいて切断用の溝を予め形成する工程と、前記帯板状の材料を管状に丸めて連続チューブを成形する工程と、前記連続チューブの一部に外力を加えて前記切断用の溝において前記連続チューブを切り離す工程とを経て所定の長さのチューブを得る熱交換器用チューブの製造方法において、前記帯板状の材料に前記切断用の溝を予め形成する時に、その後の工程に対応して、前記切断用の溝に残る前記帯板状の材料の肉厚に部分的に差を設けることにより、前記切断用の溝に薄肉部と厚肉部とを形成することを特徴とする熱交換器用チューブの製造方法。
【請求項２】
請求項１において、前記帯板状の材料に前記切断用の溝を予め形成する時に、その後に前記帯板状の材料から前記連続チューブを成形する前記工程において応力が集中する部分の前記切断用の溝に前記厚肉部を形成することを特徴とする熱交換器用チューブの製造方法。
【請求項３】
請求項２において、前記帯板状の材料の両側縁部に形成される前記切断用の溝に前記厚肉部を形成することを特徴とする熱交換器用チューブの製造方法。
【請求項４】
請求項２において、前記帯板状の材料が屈曲されて前記チューブの両側縁部を構成する部分に形成される前記切断用の溝に前記厚肉部を形成することを特徴とする熱交換器用チューブの製造方法。
【請求項５】
請求項１において、前記帯板状の材料に前記切断用の溝を予め形成する時に、その後に前記連続チューブを切り離す工程において外力が加えられた際に変形しにくい部分の前記切断用の溝に前記厚肉部を形成することを特徴とする熱交換器用チューブの製造方法。
【請求項６】
請求項１において、最終的にチューブの腹面となる前記帯板状の材料の部分に形成される前記切断用の溝に前記薄肉部を形成することを特徴とする熱交換器用チューブの製造方法。
【請求項７】
請求項１において、前記連続チューブの一部に外力を加えて前記切断用の溝において前記連続チューブを切り離すために、千鳥形に配置されると共に２群に分けられてそれら２群のローラの間隔が前記連続チューブの短径よりも僅かに小さく設定されている４個以上のローラの間へ前記連続チューブを通すことによって、前記連続チューブを前記２群のローラの間で蛇行させることを特徴とする熱交換器用チューブの製造方法。
【請求項８】
所定の間隔をおいて切断用の溝を予め形成された連続チューブの一部に外力を加えて前記切断用の溝において前記連続チューブを切り離すために、千鳥形に配置された４個以上のローラ群を備えていて、それらのローラが２群に分けられると共にそれら２群のローラの間隔が前記連続チューブの短径よりも僅かに小さく設定されており、それら２群のローラの間へ前記連続チューブを通すように構成されていることを特徴とする熱交換器用チューブの製造装置。
【発明の詳細な説明】
【０００１】
【発明の属する技術分野】
本発明は熱交換器用チューブの製造方法及び装置に係り、特に、エンジン冷却水の放熱に使用されるラジエータや、車両用空調装置に使用されるヒーターのような熱交換器に使用するために、アルミニウムや銅等からなる薄い帯板状の材料から成形されたチューブを所定の長さに切断する切断方法及び装置に関するものである。
【０００２】
【従来の技術】
薄い帯板状の材料を両側縁部から丸めて連続的に管状に成形する方法とか、押し出し等の方法によって成形された長い中空のチューブを所定の長さに切断するために、従来から使用されている一般的な切断方法として、チューブに切断カッターを突き刺してそれを貫通させることによりチューブを切り離すという方法がよく知られている。この切断方法によると切断カッターの幅に相当する切り屑ができるため、この切り屑が支障なく排出されたとしてもそれだけの材料が無駄になるし、もし切り屑が排出されないでチューブの中に残ると流れの障害になる等の支障を生じるので、それを防止するために切断装置に切り屑の回収手段等を設ける必要があり、それによって切り屑の処理コストが嵩むという問題がある。また、熱交換効率を高めるためにチューブ内の流路を複数個の部分に分割する長手方向の隔壁を形成したようなチューブでは、断面構造が複雑であるために特に切り屑がチューブの内部に残りやすいという問題がある。
【０００３】
このような問題を解消するために、チューブに成形する前の帯板状の材料に切断用ロールカッターによって予め切断用の溝を形成し、その後に帯板状の材料を丸めて管状に成形すると共に、成形されたチューブを切断用の溝の前後において長手方向に引っ張って張力を作用させることにより、切断用の溝によって肉厚が薄くなっている部分に大きな引っ張り応力を発生させて、その溝部分においてチューブを切り離すという方法が提案されている（特許文献１参照）。
【０００４】
【特許文献１】
特開昭６３−２６４２１８号公報
【０００５】
この従来技術は、チューブに成形する前の帯板状の材料に切断用ロールカッターによって断面形がＶ字形の切断用の溝を予め形成するものであるが、切断用の溝を設けた部分の材料の肉厚が薄くなり過ぎると、帯板状の材料を丸めて管状に成形する時にその部分に応力が集中して材料の破断やめくれ等が発生し、結果として形状の不良なチューブが成形されることがある。それと反対に、切断用の溝を設けた部分の材料の肉厚が厚過ぎると、管状に成形した後に張力を作用させても切断用の溝の部分において切り離すことができないとか、切り離す時にチューブを強い力によって把握するためにチューブの断面形状が歪むというような問題を生じるので、特に肉厚の薄い帯板状の材料を使用するチューブの製造においては、切断用ロールカッターの刃先に生じる摩耗の問題をも含めて、切断用の溝を加工した部分の肉厚を薄すぎず且つ厚過ぎない適度の範囲内に維持することが難しいという問題がある。
【０００６】
また、予め切断用の溝を形成されたチューブの切り離し方法として、対になった成形ロールを小径から大径まで複数組直列に並べて配置し、切断用の溝を設けられた帯板状の材料を、順次にそれら複数組の成形ロールの間を通過させることによって管状に成形すると共に、成形されたチューブに対して切断用の溝の前後において溝を開く方向の張力を作用させることも前述の文献に記載されている。しかしながら、この方法を実施するためには、成形ロールとチューブの表面との間に滑りが生じないように、対になった成形ロールによってチューブを強く挟み込む必要があるが、肉厚の薄い材料からなるチューブを成形ロールの間に強く挟み込むと、成形されたチューブが潰れてしまうという問題がある。
【０００７】
更に、別の従来技術として、予め前段階の加工装置によって管状に成形された連続チューブを所定の長さに切断するために、最初の工程においてディスクカッターを使用してチューブの表面に切断用の溝を形成し、次の工程において、固定クランプによって溝の手前の部分を把持すると共に、溝から先の部分を可動のクランプによって把持して扇形に大幅に揺動させることにより所定の長さのチューブを折り曲げて、連続しているチューブを切断用の溝の部分において破断させる連続したチューブの切断方法も提案されている（特許文献２参照）。
【０００８】
【特許文献２】
特開平３−１２４３３７号公報
【０００９】
しかしながら、この切断方法においては、予め管状に成形された連続チューブにディスクカッターによって切断用の溝を加工するので、前述の従来技術と同様に、切断用の溝の深さ、或いは切断用の溝の部分に残る材料の肉厚を最適の範囲内に調整することが難しいとか、溝部の肉厚が厚過ぎる場合には、折り曲げて破断させる際にチューブの断面形状が変形するというような問題を生じる恐れがある。また、切断用の溝においてチューブを破断させるために固定のクランプと、それに対して大きく揺動する可動のクランプとを設ける必要があるので、所定の長さを有するチューブの揺動範囲とか、可動のクランプの駆動装置等が占める空間の大きさのために、切断装置全体が大型化すると共に、構造が複雑化して切断工程のコスト上昇を招くことが避けられない。
【００１０】
【発明が解決しようとする課題】
本発明は、従来技術における前述のような問題に鑑み、新規な手段によってそれらの問題を解消することを目的としている。
【００１１】
【課題を解決するための手段】
本発明は、この課題を解決するための手段として、特許請求の範囲の請求項１に記載された熱交換器用チューブの製造方法を提供する。この方法においては、予め帯板状の材料に所定の間隔をおいて切断用の溝を形成した後に、帯板状の材料を管状に丸めて連続チューブを成形し、更にその後に連続チューブを所定の長さに切り離すが、帯板状の材料に切断用の溝を予め形成する時に、その後の工程に対応して、切断用の溝に残る帯板状の材料の肉厚に部分的に差を設けることにより、切断用の溝に薄肉部と厚肉部とを形成する点に特徴がある。
【００１２】
それによって、予め切断用の溝を形成された帯板状の材料を丸めて管状に成形する時に、切断用の溝の適所に厚肉部が設けられていることによって帯板状の材料が切断用の溝において妄りに破断することが防止される。また、連続チューブに成形された後に切断用の溝の位置においてそれを破断させる時には、切断用の溝の適所に薄肉部が設けられていることによって破断が円滑に行なわれる。従って、帯板状の材料を管状に成形する時に材料の切断やめくれが発生することがなくなるので、連続チューブの断面形状が歪むことがなく、また、連続チューブを切断用の溝において切断する時にも断面形状が歪むことが防止されて、高品質のチューブの切断が円滑に且つスピーディに行なわれる。
【００１３】
厚肉部を形成する適所としては、帯板状の材料から連続チューブを成形する工程において応力集中が起こりやすい帯板状の材料の両側縁部とか、帯板状の材料が屈曲されてチューブの両側縁部を構成する部分、或いは、連続チューブを切り離す工程において外力が加えられた際に変形しにくい部分等を選択することができる。また、薄肉部を形成する適所としては、最終的にチューブの腹面となる帯板状の材料の部分のように、応力集中が起こり難い部分とすることができる。
【００１４】
予め所定の間隔で切断用の溝を形成された連続チューブに外力を加えて切断用の溝の位置において切断させるために、千鳥形に配置されると共に２群に分けられた４個以上のローラの間へ連続チューブを通すという切断方法をとることができる。この場合は、それら２群のローラの間隔が連続チューブの短径よりも僅かに小さく設定されているために、連続チューブが２群のローラの間を通過する時に蛇行させられるので、連続チューブは切断用の溝において正逆方向の曲げ力を受ける結果、切断用の溝において容易に且つ円滑に破断する。
【００１５】
本発明はまた、前記課題を解決するための他の手段として、特許請求の範囲の請求項８に記載された熱交換器用チューブの製造装置をも提供する。この装置においては、所定の間隔をおいて切断用の溝を予め形成された連続チューブの一部に外力を加えて切断用の溝において連続チューブを切り離すために、千鳥形に配置された４個以上のローラ群を備えていて、それらのローラが２群に分けられると共にそれら２群のローラの間隔が連続チューブの短径よりも僅かに小さく設定されており、それら２群のローラの間へ連続チューブを通すように構成されているので、予め切断用の溝を形成された連続チューブが２群のローラの間を通過する時に少しずつ正逆方向に傾斜しながら蛇行する。従って、連続チューブは切断用の溝において正逆方向の曲げ力を受けるので、切断用の溝に破断が生じて連続チューブが所定の長さに切断される。
【００１６】
【発明の実施の形態】
次に、添付の図面のうち図１から図６を参照しながら、本発明による熱交換器用チューブの製造方法の好適な実施例について詳細に説明する。図１はこの製造方法に使用するための製造装置の要部を示すものである。１は上部切断カッターであって、ガイドポストの天板１１によって固定的に支持されている。２は下部切断カッターであって、上下動スライダー３に取り付けられて、それと一体になって、２本の平行なガイドポスト１２に沿って上下動をすることができる。参照符号４〜６は、下部切断カッター２と上下動スライダー３を上下動させるための駆動機構を構成する部分であって、４は図示しないモーターや減速機等を内蔵する駆動装置、５は駆動装置４の駆動軸に取り付けられた偏心輪、６は偏心輪５の偏心ピンと上下動スライダー３との間を連結するトグル形のリンク機構であって、複数個のリンクアームと枢着ピン等からなっている。なお、図示実施例の駆動機構は同様な作動をする他の機構によって置き換えることができる。
【００１７】
７はチューブ切り離し用のローラ群であって、図１に示す実施例では上下それぞれ３個ずつの同径のローラからなっている。上部の３個のローラと下部の３個のローラは半径分だけずれて配置されているので、ローラ群７は全体として所謂千鳥形配置となっている。そして、上部の３個のローラ群と、下部の３個のローラ群との間には、上下方向、即ち、連続チューブ９が流れる方向に対して直角の方向において、最終的なチューブの短径よりも僅かに小さい間隔が形成されるように、ローラ群７が図示しないフレームと軸受によってそれぞれ回転自在に支持されている。ローラ群７を構成するローラは図示しない駆動装置によって全て同じ回転速度で駆動されるが、連続チューブ９の上側にあるものと下側にあるものとでは回転方向が反対になることは言うまでもない。なお、連続チューブ９をチューブ切り離し用のローラ群７の中へ送り込む装置の構成によっては、ローラ群７のローラを回転駆動しなくてもよい場合がある。
【００１８】
アルミニウムや銅等からなる長い帯板状の材料８が、例えば、コイル状に巻かれていた状態から解き放されて矢印のように、上部切断カッター１及び下部切断カッター２等からなるカッター機構へ供給される。図示していないが、カッター機構とチューブ切り離し用のローラ群７との間には、帯板状の材料８を両側縁部から丸めて連続的に管状に成形するチューブ成形工程２０が設けられている。チューブ成形工程２０そのものは本発明の特徴とするところではないので、その目的に沿った構成を有する適切な加工装置を使用することができる。従って、帯板状の材料８はチューブ成形工程２０を通過することによって連続チューブ９に成形された後に、チューブ切り離し用のローラ群７の間を通過することによって、所定の長さを有するチューブ１０に切断される。
【００１９】
図示実施例の製造装置の中でカッター機構を構成する上部切断カッター１及び下部切断カッター２の細部構造が図２及び図３に示されている。上部切断カッター１は全体として板状のものであるが、図２に示すように、下辺の両端部と、中間部の所定の位置にある２箇所との、合計４箇所に切り欠き状の厚肉部加工用凹部１３を備えている。厚肉部加工用凹部１３以外の下辺は上部切断カッター１の肉厚と同じ幅を有する平坦な平面１４となっている。
【００２０】
これに対して、相手方の下部切断カッター２は図３に示すように断面形状が楔形のもので、上辺の全幅にわたって鋭角のエッジ２１を備えているが、図２に示すようにエッジ２１には凹凸がなくて直線状となっている。
【００２１】
このような固定された上部切断カッター１に対して、下部切断カッター２が、駆動装置４から偏心輪５とリンク機構６等を介して駆動されることによって下方から上昇すると、それらの間へ供給された帯板状の材料８が挟圧されて、図２及び図３に示すような形状に塑性変形をする。即ち、帯板状の材料８の下面の一部に下部切断カッター２が押し付けられることによって、帯板状の材料８の全幅にわたる切断用の溝８１が形成される。しかし、この時に下部切断カッター２が帯板状の材料８を切り離すことがないように、切断用の溝８１の深さが帯板状の材料８の肉厚よりも小さく設定される。帯板状の材料８の長手方向において隣接する切断用の溝８１の距離間隔は、帯板状の材料８の供給速度と、下部切断カッター２が繰り返して上昇する周期とを調整することによって、製品としてのチューブ１０の長さと実質的に同じ値になるように設定される。
【００２２】
下部切断カッター２が前述のように上昇して帯板状の材料８に切断用の溝８１が形成される時に、同時に帯板状の材料８の上面のうちで上部切断カッター１に接触する部分の殆どは、上部切断カッター１の下面の大部分をなす平面１４によって支持されるので、それらの間に挟圧された帯板状の材料８の部分では、切断用の溝８１の大部分に対応して肉厚が薄くなった薄肉部８２が破線状に形成される。そして、破線状に並んでいる薄肉部８２の間の途切れ目に、上部切断カッター１の厚肉部加工用凹部１３によって４個の厚肉部８３が、帯板状の材料８の上面から上方へ突出するように形成される。但し、厚肉部とは言っても、厚肉部８３が薄肉部８２よりも肉厚が厚いということであって、厚肉部８３の肉厚が帯板状の材料８の元の肉厚よりも特に大きくなるという意味ではない。
【００２３】
このように、帯板状の材料８に予め切断用の溝８１を形成する時に、切断用の溝８１を形成することによってその部分に残る帯板状の材料８の肉厚を一様としないで、切断用の溝８１によって比較的に薄い肉厚を残す薄肉部８２と、切断用の溝８１によって比較的に厚い肉厚を残す厚肉部８３とを区別して形成する点に本発明の１つの特徴がある。そこで、どのような部分の切断用の溝８１に薄肉部８２を形成すると共に、どのような部分の切断用の溝８１に厚肉部８３を形成するかということについて説明する。
【００２４】
まず、薄肉部８２は、次の工程において帯板状の材料８を両側縁部から管状に丸めて連続チューブ９を成形する際に応力集中が起こりにくくて、成形によって切断用の溝８１が破断する恐れが比較的に少ない部分の切断用の溝８１に形成する。また、後述のように、最後の工程において連続チューブ９に外力を加えて、予め形成されている切断用の溝８１の位置において連続チューブ９を破断させる際に、外力を加えることによって変形しやすく、製品の断面形状に歪みが残りやすい部分の切断用の溝８１にも、この場合は最後の工程における破断を助ける目的で薄肉部８２を形成する。
【００２５】
次に、厚肉部８３は、帯板状の材料８に切断用の溝８１を形成した次の工程において帯板状の材料８を両側縁部から管状に丸めて連続チューブ９を成形する際に、応力が集中して切断用の溝８１が破断する恐れがある部分の切断用の溝８１に形成する。また、後述のように、最後の工程において連続チューブ９に外力を加えて切断用の溝８１の位置において破断させる際に、外力を加えも変形しにくく、製品の断面形状に歪みが残る恐れが少ない部分の切断用の溝８１に、厚肉部８３を形成する。
【００２６】
チューブ成形工程２０の具体的なシステム構成は本発明の特徴とするところではないので図示していないが、その前段のカッター機構によって所定の間隔をおいて切断用の溝８１を形成された帯板状の材料８が、両側縁部から管状に丸められることによって連続チューブ９となった状態における、チューブ９の断面形状が図４に例示されている。本発明の方法によれば、連続チューブ９はチューブ切り離し用のローラ群７を通過する際に切断用の溝８１の位置で破断して所定の長さのチューブ１０に分離するが、この際に断面形状が変化することはないので、図４に示された断面形状は取りも直さず、チューブ切り離し用のローラ群７によって切断された後の、製品としてのチューブ１０の断面形状をも示している。
【００２７】
チューブ成形工程２０によって成形された後の連続チューブ９は、この実施例の場合は図４のような全体に扁平な断面形状を有するので、前述のような薄肉部８２と厚肉部８３とを残す切断用の溝８１を形成された帯板状の材料８から連続チューブ９を成形すると、切断用の溝８１による薄肉部８２が、成形の際に応力が集中する恐れがなく、且つ、最後の切り離し工程において外力が加えられる時に変形して歪みが残りやすい上下の腹面の部分となる。
【００２８】
また、切断用の溝８１による厚肉部８３は、成形の際に応力が集中して切断用の溝８１が破断しやすい部分、即ち、成形の初期に帯板状の材料８を管状に丸めることによって大きい応力が集中的に発生すると共に、最終的に左右の部分が重合して接合部８５を形成する帯板状の材料８の両側縁部と、連続チューブ９の断面形が屈曲して大きな曲げ応力が発生するチューブの両側縁部になる。
【００２９】
従って、帯板状の材料８上において厚肉部８３と薄肉部８２がそれらの目的の位置に形成されるように、上部切断カッター１の厚肉部加工用凹部１３の位置を設定することになる。なお、接合部８５は、チューブ１０が製造された後に、或いはチューブ１０が図示しない熱交換器に組み付けられた後に、ろう付け等によって完全に接合される。
【００３０】
次に、図４に例示したような断面形状を有する連続チューブ９がチューブ成形工程２０から次のチューブ切り離し用のローラ群７へ供給されると、ローラ群７が千鳥形の配置となっているのと、上部のローラ群と下部のローラ群との間の上下方向における間隔が、チューブ９の短径、即ち、上下方向の寸法よりも僅かに小さく設定されているので、連続チューブ９がローラ群７の中を通過する際に小さな振幅で蛇行することを強制される。そのために、図５に示す位置に切断用の溝８１が来た時には、連続チューブ９が、第１切り離し用ローラ７１と第３切り離し用ローラ７３との間において、第２切り離し用ローラ７２によって押し下げられる形になるので、連続チューブ９が上に向かって凹となるような曲げ力を受けて下面の切断用の溝８１が破断する。
【００３１】
続いて切断用の溝８１が図６に示した位置へ来た時には、連続チューブ９が第２切り離し用ローラ７２と第４切り離し用ローラ７４との間において、第３切り離し用ローラ７３によって押し上げられる形になるので、連続チューブ９が下に向かって凹となるような曲げ力を受けて上面の切断用の溝８１が破断する。
【００３２】
また、連続チューブ９の両側縁部や接合部８５の厚肉部８３の位置にも切断用の溝８１が形成されているので、前述のように腹面に正逆の曲げ力を受けることによって連続チューブ９の上下の切断用の溝８１が破断すると、両側縁や接合部８５の厚肉部８３にも上下方向に亀裂が入って破断する。そして、正逆各１回の曲げによって破断しない部分が生じる場合でも、ローラ群７のローラの数を増加させて、２段或いは３段と繰り返して曲げ力を加えることにより、連続チューブ９は確実に切断用の溝８１の位置において切断される。
【００３３】
このように、チューブ切り離し用のローラ群７によって、正逆の曲げ力を切断用の溝８１の位置においてチューブ９に加えるだけでチューブ９が簡単に破断するので、従来技術のように、連続チューブを切断用の溝の前後において強い力で掴んで張力を加えることにより、チューブが潰れて断面形状が歪むというような問題を生じない。また、他の従来技術のように、チューブ９の先端部分を可動のクランプによって掴んで、大きく揺動させることにより切断用の溝における破断を促すのに比べて、使用する装置を小型で低コストなものとすることができる。更に、チューブ切り離し用のローラ群７における連続チューブ９の流れが円滑になるので、連続チューブ９の切り離し工程はもとより、熱交換器用チューブの製造工程全体のスピードアップが可能になる。
【００３４】
図７及び図８に本発明の他の実施例を示す。これらの図面を前述の実施例において説明した図２及び図３と比較すれば明らかなように、この実施例における上部切断カッター１には、前述の厚肉部加工用凹部１３のようなものが形成されていないので、下面の全体が平坦な平面１５となっている。下部切断カッター２は断面形が概ね楔形となっているが、その楔面には長手方向、即ち、帯板状の材料８から見て幅方向に凸部２２と凹部２３が交互に形成されている。凸部２２および凹部２３の上辺には全幅にわたって鋭角のエッジ２１が備えられている。これら凸部２２及び凹部２３は前述のものと類似の薄肉部８２と厚肉部８３を形成するためのものであるから、それらの長さは、図４に示したような連続チューブ９及び目的のチューブ１０の断面形状に合わせて決定する。
【００３５】
カッター機構にこのような形状の上部切断カッター１及び下部切断カッター２を使用すると、図７及び図８に示したように、下部切断カッター２によって形成された切断用の溝８１の中に、同時に厚肉部８３が部分的に突出しているような形状の帯板状の材料８が得られる。このように、図７及び図８に示したような断面形状を有する帯板状の材料であっても、前述の図２及び図３に断面形状を示した帯板状の材料８と同様な作用をする。従って、この実施例の作用、効果も前述のものと概ね同様である。なお、図２および図３と図７および図８を部分的に組合せた上部切断カッター１および下部切断カッター２にすることもある。
【００３６】
図４に示した連続チューブ９の断面形状の変形例を、図９に連続チューブ９’として示す。本発明の方法によれば、これは製品としてのチューブ１０の断面形状と実質的に同じである。このようなチューブの断面形状の変更は、上部切断カッター１及び下部切断カッター２の形状をどのように形成するかという問題に関連しているだけでなく、チューブ成形工程２０において帯板状の材料８をどのようにして管状に丸めるかということから、工程２０の細部に関連する問題でもあるが、本発明はチューブ成形工程２０そのものの内容に特徴を有するものではないので、工程２０の細部は省略して、結果として送り出されるチューブ９’の断面形状だけを示している。
【００３７】
図９と図４を比較すれば明らかなように、図９に示す連続チューブ９’は接合部８６の形状に特徴を有する。帯板状の材料８の両側縁部が均等に且つ左右対称的に曲げられて、帯板状の材料８の幅方向の中央部分に長手方向に形成される襞折り部８７と重なっている。そのために、帯板状の材料８の幅方向における切断用の溝８１や厚肉部８３の位置が図４に示したものとは多少異なるので、それらを形成するために上部切断カッター１及び下部切断カッター２の形状が異なったものになる。しかし、実施例の作用、効果は前述のものと概ね同様である。
【００３８】
同様な観点から、図１０は連続チューブの断面形状に関する更に他の例を示したものである。この場合に、丸められた帯板状の材料８の両側縁部を突き合わせた部分に形成される接合部８８は、連続チューブ９”の断面形の左右いずれかの側縁部に偏って設けられている。連続チューブ９”の内部には隔壁がないので、単一の流路だけが形成される。従って、熱交換効率や機械的強度の点で前述の実施例よりも劣る面があるが、構造が簡単で流路の閉塞が起こり難いという利点もあるので、内燃機関冷却水の放熱に使用するラジエータ等には適している。
【図面の簡単な説明】
【図１】本発明の方法において使用する熱交換器用チューブの製造装置の要部を例示する斜視図である。
【図２】上部切断カッター及び下部切断カッターと帯板状の材料を示す正面図である。
【図３】図２と同じ対象を示す側面図である。
【図４】チューブの断面形状を例示する断面図である。
【図５】チューブ切り離し用のローラ群の一部を拡大して示す側面図である。
【図６】図５と同じ対象の異なる状態を示す側面図である。
【図７】図２とは異なる例を示す正面図である。
【図８】図７と同じ対象を示す側面図である。
【図９】図４とは異なるチューブの断面形状を示す断面図である。
【図１０】図４及び図９とは異なるチューブの断面形状を示す断面図である。
【符号の説明】
１…上部切断カッター
２…下部切断カッター
７…チューブ切り離し用のローラ群
８…帯板状の材料
９…連続チューブ
１０…切断された後のチューブ
１３…厚肉部加工用凹部
１４，１５…平面
２２…凸部
２３…凹部
７１〜７４…チューブ切り離し用のローラ
８１…切断用の溝
８２…薄肉部
８３…厚肉部
８５，８６，８８…接合部
２０…チューブ成形工程
【図１】
2004308965.tif 000003
【図２】
2004308965.tif 000004
【図３】
2004308965.tif 000005
【図４】
2004308965.tif 000006
【図５】
2004308965.tif 000007
【図６】
2004308965.tif 000008
【図７】
2004308965.tif 000009
【図８】
2004308965.tif 000010
【図９】
2004308965.tif 000011
【図１０】
2004308965.tif 000012